(57)【要約】  小魚を模した外観形状となるように形成されたルアーボディ（１１）の先端部付近にリップ（１２）を備える。リップ（１２）は、ルアーボディ（１２）の前端部付近にて上下に回動可能となるように、基端部（１２Ｂ）が支軸（２２）を介してルアーボディ（１１）に軸支され、リップ（１２）を少なくとも２つの回動角度に設定する角度設定機構を有する。角度設定機構により設定されたリップ１２の回動角度に応じて、異なるルアーアクションを行うようにした。
2014002157.tif 000002
【特許請求の範囲】
【請求項１】
小魚を模した外観形状となるように形成されたルアーボディの先端部付近にリップを備えた釣り用ルアーであって、
前記リップは、前記ルアーボディの前端部付近にて上下に回動可能となるように、その基端部が支軸を介して前記ルアーボディに軸支され、
前記リップを少なくとも２つの回動角度に設定する角度設定機構を有し、この角度設定機構により設定された前記リップの回動角度に応じて、異なるルアーアクションを行うようにしたことを特徴とする釣り用ルアー。
【請求項２】
前記角度設定機構は、前記リップの基端部の周囲に沿って形成された少なくとも２つの係合部と、これらの係合部に係合するように前記ルアーボディに保持された係止片とを含み、前記係止片を前記係合部に選択的に係合させて、前記リップを所望の回動角度に設定し得るようにしたことを特徴とする請求項１に記載の釣り用ルアー。
【請求項３】
前記角度設定機構は、前記リップの基端部の周囲に前記係合部を形成するための爪部を有し、前記係止片の先端部が前記爪部を乗越え可能としたことを特徴とする請求項２に記載の釣り用ルアー。
【請求項４】
前記ルアーボディ内にバランスウェイトを内蔵すると共に、前記支軸を金属製として固定のバランスウェイトの機能を持たせたことを特徴とする請求項１〜３のいずれか１項に記載の釣り用ルアー。
【請求項５】
前記リップの後端部に前記ルアーボディの形状に沿うように前方へ凹んでなる凹部が形成されたことを特徴とする請求項１〜４のいずれか１項に記載の釣り用ルアー。
【発明の詳細な説明】
【技術分野】
【０００１】
本発明は、典型的には小魚を模して形成されたルアーボディの先端部付近にリップを備えた釣り用ルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。【０００３】
また、ルアーにおける対象魚に対するアピール効果は形態ばかりでなく、ルアーが水中での遊泳中にとるルアーアクションもまた重要なポイントになる。つまり、実際の小魚の泳ぎ方に似るほど対象魚に対して強くアピールし、このためルアーアクションのコントロールし易さも重要である。【０００４】
この種の釣り用ルアーにおいて、ルアーボディの先端部付近にリップを備えた所謂クランクベイトルアーでは、遊泳中にリップで水流抵抗を受けることで潜行姿勢をとるようにしている。従来ではリップで水流抵抗を受け易くし、ライン（釣り糸）の引き加減により意図するルアーアクションを行わせるようにしていた。【０００５】
なお、従来ルアーとして、例えば特許文献１に記載のリップ付きのプラグ型ルアーが知られている。
【先行技術文献】
【特許文献】
【０００６】
【特許文献１】実願昭５７−０２０６００号（実開昭５８−１２２９６１号）のマイクロフィルム
【発明の概要】
【発明が解決しようとする課題】
【０００７】
実際の釣り現場において現場の状況に合せて複数の中から、最適なルアーを選択・使用することは釣果に大きく影響する。また、釣り現場の天候あるいは水の流れ等、釣りに影響するファクタは刻々変化し、対象魚に対するアピール性を見極めるのは容易ではない。釣り現場においてルアーアクション等に関する多様なニーズに対応するのは、単一のルアーでは極めて難しいのが実情である。【０００８】
本発明はかかる実情に鑑み、機能性に優れると共に多様なルアーアクションを実現し、対象魚に対する強いアピール効果を得る釣り用ルアーを提供することを目的とする。
【課題を解決するための手段】
【０００９】
本発明の釣り用ルアーは、小魚を模した外観形状となるように形成されたルアーボディの先端部付近にリップを備えた釣り用ルアーであって、前記リップは、前記ルアーボディの前端部付近にて上下に回動可能となるように、その基端部が支軸を介して前記ルアーボディに軸支され、前記リップを少なくとも２つの回動角度に設定する角度設定機構を有し、この角度設定機構により設定された前記リップの回動角度に応じて、異なるルアーアクションを行うようにしたことを特徴とする。【００１０】
また、本発明による釣り用ルアーにおいて、前記角度設定機構は、前記リップの基端部の周囲に沿って形成された少なくとも２つの係合部と、これらの係合部に係合するように前記ルアーボディに保持された係止片とを含み、前記係止片を前記係合部に選択的に係合させて、前記リップを所望の回動角度に設定し得るようにしたことを特徴とする。【００１１】
また、本発明による釣り用ルアーにおいて、前記角度設定機構は、前記リップの基端部の周囲に前記係合部を形成するための爪部を有し、前記係止片の先端部が前記爪部を乗越え可能としたことを特徴とする。【００１２】
また、本発明による釣り用ルアーにおいて、前記ルアーボディ内にバランスウェイトを内蔵すると共に、前記支軸を金属製として固定のバランスウェイトの機能を持たせたことを特徴とする。【００１３】
また、本発明による釣り用ルアーにおいて、前記リップの後端部に前記ルアーボディの形状に沿うように前方へ凹んでなる凹部が形成されたことを特徴とする。
【発明の効果】
【００１４】
本発明によれば、釣り現場の状況に応じて角度設定機構によりリップの傾斜角度を適宜選択・設定することで、対象魚に対するアピール効果を最大にするようなルアーアクションを得ることができ、高い釣果を期待することができる。単一のルアーで実質上少なくとも２種類のルアーと同等の機能を発揮し、実用的効果に優れていると共にコスト的にも極めて有利である。
【図面の簡単な説明】
【００１５】
【図１】図１は、本発明によるルアーの外観構成例を示す斜視図である。
【図２Ａ】図２Ａは、本発明のルアーにおいてリップが第１の回動角度にある場合の側面図である。
【図２Ｂ】図２Ｂは、本発明のルアーにおいてリップが第２の回動角度にある場合の側面図である。
【図３】図３は、本発明のルアーの上面図である。
【図４】図４は、本発明のルアーの正面図である。
【図５】図５は、本発明のルアーの内部構造を示す側断面図である。
【図６Ａ】図６Ａは、本発明のルアーにおける角度設定機構の作用を示す要部拡大図である。
【図６Ｂ】図６Ｂは、本発明のルアーにおける角度設定機構の作用を示す要部拡大図である。
【図７Ａ】図７Ａは、本発明のルアーにおける遊泳状態の例を示す図である。
【図７Ｂ】図７Ｂは、本発明のルアーにおける遊泳状態の例を示す図である。
【発明を実施するための形態】
【００１６】
以下、図面に基づき、本発明による釣り用ルアーの好適な実施形態を説明する。
図１は、この実施形態における釣り用ルアー１０を示している。また、図２Ａ及び図２Ｂはそれぞれその側面図、図３はその上面図、図４はその正面図である。これらの図において、１１はルアーボディであり、このルアーボディ１１は合成樹脂等の材料により小魚に似せた外観形状となるように形成されている。この場合、ルアーボディ１１の長手方向（前後方向）に沿って二分した左右２つのボディハーフ１１Ｒ，１１Ｌを相互に当接させることで一体化し、中空構造を有する。
【００１７】
また、これらの図において、１２はルアーボディ１１の先端部に付設したリップ（潜水板）である。なお、ルアーボディ１１の先端の適所に釣糸１が結び付けられるラインアイ１３が設けられる。また１４，１５はそれぞれフックハンガーであり、これらにフロントフック１６及びリヤフック１７が係着するようになっている。
【００１８】
リップ本体１２Ａは図１及び図３等に示すように、前部側が適度に幅広とした概略矩形を呈する板状に形成される。リップ本体１２Ａの後端部には、ルアーボディ１１の形状に沿うように前方へ凹んでなる湾曲状の凹部１２ａが形成される。また、この凹部１２ａの左右両側部はルアーボディ１１の側方（実際の小魚では目から鰓へかけての部位）へ張り出すように広くなっている。リップ本体１２Ａの後端部まわりをこのように成形することで、水中で遊泳する際にはより効率よく水流抵抗を受けることができるようにしている。
【００１９】
ここで、リップ１２は図２Ａに示される基本的姿態において、ルアーボディ１１に対して前下がり傾斜するように取り付けられている。更に、リップ１２は、ルアーボディ１１の前端部付近にて上下に回動可能となるように、その基端部が支軸を介してルアーボディに軸支される。即ち、本発明ではリップ１２の傾斜角度を調節する角度設定機構を有し、この角度設定機構によりリップ１２の傾斜角度を、その基本的姿態から図２Ｂのように変化させることができるが、その具体的構成については後述するものとする。
【００２０】
また、ルアーボディ１１には図５に示されるようにバランスウェイト１８が内蔵される。このバランスウェイト１８は、金属製の球体により構成されている。この例では、フックハンガー１４の前至近位置にバランスウェイト１８を保持するためのホルダ１９が形成され、図５のようにホルダ１９内にバランスウェイト１８を収容、保持するようにしている。
【００２１】
次に、図５及び図６Ａ、図６Ｂを参照してリップ１２の角度設定機構について説明する。リップ１２において、リップ本体１２Ａの後端部裏側にはルアーボディ１１側へ突出する基端部１２Ｂが一体形成されている。この基端部１２Ｂは概略円柱状あるいは太鼓状に形成され、その軸線Ｌが左右方向を向くようにルアーボディ１１の前端部付近に形成されたホルダ２０内に収容される。基端部１２Ｂの中央部には左右方向に嵌合孔２１が貫通形成され、この嵌合孔２１に対して同心に支軸２２が嵌入する。支軸２２の左右両端部はそれぞれ、左右のボディハーフ１１Ｒ，１１Ｌに形成された軸受孔（図示せず）に嵌合・支持され、これによりリップ１２は支軸２２を介して、軸線Ｌのまわりに回動可能に支持される。
【００２２】
基端部１２Ｂの後部側にはその外周面の一部を凹状に成形してなる、この例では２つの係合部２３Ａ，２３Ｂを有する。これらの係合部２３Ａ及び係合部２３Ｂは、軸線Ｌに関して円周角で角度θだけ隔置されている。係合部２３Ａ及び係合部２３Ｂに対して、それらを形成するための爪部２４ａ，２４ｂが隣接配置される。一方、係合部２３Ａ，２３Ｂに選択的に係合するようにルアーボディ１１に保持された係止片２５を有する。なお、係止片２５は合成樹脂材料や薄金属板等により形成される。係止片２５は先細の先端部に適度なＲ（曲率半径）が付されていると共に、その基部２５ａがルアーボディ１１に形成されたホルダ２６内に収容・保持される。係止片２５はその基部２５ａがホルダ２６によって位置決め固定されることで、その先端部側は実質的に片持ち支持状態となる。係止片２５は典型的には合成樹脂材で形成され、先端部側が適度に撓み変形可能である。
【００２３】
例えば図６Ａに示すように係止片２５が爪部２４ａを乗り越して、一方の係合部２３Ａに係合した場合のリップ１２の回動位置を基本的姿態とし、このときの回動角度を第１の回動角度θ１とする。また、リップ１２を図６Ａにおいて支軸２２のまわりに反時計方向に角度θ回動することにより、係止片２５は図６Ｂに示すように係合部２３Ｂに係合する。係止片２５が係合部２３Ｂに係合する際、係止片２５が爪部２４ｂを乗り越すが、この場合リップ１２はその基本的姿態から反時計方向に回動し、その回動角度を第２の回動角度θ２とする。
【００２４】
リップ１２は上記のように２つの回動角度θ１及び回動角度θ２を取り得ると共に、且つそれらの回動角度に保持される。第１の回動角度θ１では（図６Ａ）リップ１２は潜行遊泳に適した前下がりの傾斜状態となり、一方、第２の回動角度θ２では（図６Ｂ）ルアーボディ１１に対するリップ１２の傾斜角度はかなり大きくなり、略直角に近い傾斜角度に設定される。
【００２５】
支軸２２は、好適にはステンレス鋼等の金属材料を用いて形成される。支軸２２はバランスウェイト１８の比較的至近位置で、両者ともルアーボディ１１の腹部側に配設される。それらを金属製とすることで、支軸２２はバランスウェイト１８と相俟ってルアー１０の最適な重心設定を行うことができる。
【００２６】
本発明によるルアー１０は、上記のように構成されており、次にその作用を説明する。例えば先ず、角度設定機構により係止片２５を係合部２３Ａに係合させることでリップ１２を第１の回動角度もしくは位置に設定する。この場合、リップ１２は、基本的姿態の第１の回動角度θ１となる。ルアー１０の実使用の際、キャスティング時にはバランスウェイト１８及びこれに加えて支軸２２の重量で、ルアー１０を目標ポイントに的確に着水させることができる。支軸２２を金属製とすることにより、バランスウェイトの機能を持たせ、適切な重心設定と実質的な部品数の低減を図ることができる。
【００２７】
キャスティングによるルアー１０の着水後、リトリーブすることでリップ１２は水流抵抗を受け、係止片２５は係合部２３Ａに係合保持されている。このとき第１の回動角度θ１で前下がりに傾斜するリップ１２（図６Ａ）は、有効に水流抵抗を受けながら、図７Ａのように比較的深い深度Ｄ１まで潜行して水中を遊泳する。リトリーブ中はルアー１０の深度Ｄ１を維持させ、あるいは必要に応じて釣糸１の引き加減を適宜調整し、対象魚に対する高いアピール効果を有するルアーアクションを実現することができる。また、ルアー１０の遊泳時においても、バランスウェイト１８及び支軸２２の重量でルアー１０のバランスをとり、安定した遊泳を確保することができる。
【００２８】
次に、一旦ルアー１０を回収して、第１の回動角度θ１にあるリップ１２を回動することで、第２の回動角度θ２に設定することができる。この場合、リップ１２を第１の回動角度θ１から第２の回動角度θ２に移行する際、係止片２５の先端部が適度に撓んで爪部２４ｂを乗り越し、その後係合部２３Ｂに係合する。リップ１２は第２の回動角度θ２となって、ルアーボディ１１に対する傾斜角度はかなり大きくなり、図６Ｂ等に示されるように略直角に近い傾斜角度に設定される。
【００２９】
リップ１２を第２の回動角度θ２としたルアー１０の着水後、リトリーブすることでリップ１２は略真正面から水流抵抗を受け、このため第１の回動角度θ１の場合にリップ１２で受けた水流抵抗で水中に潜行するというよりもむしろ、この場合図７Ｂのようにその深度Ｄ２は浅く、即ち水面付近を遊泳する。このように水面付近で遊泳させることにより、その際必要に応じて更にリトリーブの操作加減を調整し、リップ１２で受けた水から水しぶきをあげさせることも可能になる。かかる水しぶき等を始めとして対象魚に対して、リップ１２が第１の回動角度θ１の場合とは異なるアピール効果を奏することができる。
【００３０】
上記のように本発明のルアー１０によれば、釣り現場の状況等に応じてリップ１２の傾斜角度を、角度設定機構を介して適宜選択・設定することで、対象魚に対するアピール効果を最大にするようなルアーアクションを得ることができ、高い釣果を期待することが可能となる。この例のように単一のルアー１０でありながら、実質上少なくとも２種類のルアーと同等の機能を発揮し、実用的効果に優れていると共にコスト的にも極めて有利である。
【００３１】
上記実施形態において説明したリップ１２の第１の回動角度θ１及び第２の回動角度θ２や、それらの隔たる角度θ等の具体的数値等は必要に応じて適宜変更可能である。
また、２つの係合部２３Ａ，２３Ｂを有する例を説明したが、それら中間位置に更に別の１又は２つ以上の係合部を付加し、即ち３つ以上の係合部を持つことも可能である。これによりルアー１０におけるルアーアクションの多様化を図ることができ、高い釣果を期待することも可能となる。
【産業上の利用可能性】
【００３２】
本発明のルアーは、機能性に優れると共に多様なルアーアクションを実現し、対象魚に対して極めて強いアピール効果を発揮することで、この種のルアー釣りにおいて高い釣果を期待することができる。
【図１】
2014002157.tif 000003
【図２Ａ】
2014002157.tif 000004
【図２Ｂ】
2014002157.tif 000005
【図３】
2014002157.tif 000006
【図４】
2014002157.tif 000007
【図５】
2014002157.tif 000008
【図６Ａ】
2014002157.tif 000009
【図６Ｂ】
2014002157.tif 000010
【図７Ａ】
2014002157.tif 000011
【図７Ｂ】
2014002157.tif 000012
【国際調査報告】
2014002157.tif 000013
2014002157.tif 000014
2014002157.tif 000015
2014002157.tif 000016